(57)【要約】【課題】ゴルフティーの頂面よりも上方でゴルフボールを支持することができるゴルフティーのアタッチメント。【解決手段】ゴルフティー１の頂部６に取り付けられるアタッチメント２が頂部６の周面６ａを囲むように形成されていてほぼ逆円錐形を成す第１環状部１１と、第１環状部１１から下方へ延びてゴルフティー１の脚部７の一部分を囲むように形成されている第２環状部１２と、第１環状部１１から上方へ延びて上端部分にゴルフボールを載置できるように形成されている弾性変形可能な支持部１３とを有する。第１環状部１１には、上方部分から下方部分へ向かって延びる弾性変形可能な舌状部２１が形成され、舌状部２１の内面にはゴルフティーの頂面８に上方から当接可能な突起部２４が形成される。【選択図】図２
2005237575.tif 000002
【特許請求の範囲】
【請求項１】
ほぼ逆円錐形を成して頂面が円形を呈する頂部と、前記頂部の下端部分から下方へ延びて前記頂面の径よりも小さい径を有する脚部とからなるゴルフティーの前記頂部に取り付けられて前記頂面よりも上方でゴルフボールを支持することが可能なアタッチメントであって、
前記アタッチメントが、前記逆円錐形を成す頂部の周面を囲むように形成されているほぼ逆円錐形の第１環状部と、前記第１環状部から下方へ延びて前記脚部の一部分を囲むように形成されているほぼ円筒形の第２環状部と、前記第１環状部から上方へ延びてその延びた上端部分に前記ゴルフボールを載置できるように形成されている弾性変形可能な支持部とからなり、
前記第１環状部は、前記頂部の周面と向かい合う内面と前記内面の反対側である外面とを有する周壁部分に、前記第１環状部の上方部分から下方部分へ向かって延びて前記内面から外面へ向かう方向へ弾性変形可能な複数の舌状部を有し、前記舌状部が前記第１環状部の周り方向において間欠的に形成されていて、前記舌状部の内面には、前記ゴルフティーにおける前記頂面の周縁部分に前記頂面の上方から当接可能であり、かつ、前記舌状部が前記内面から外面へ向かう方向へ弾性変形すると前記周縁部分の外側へ移動可能な前記第１環状部内側方向への突起部が形成されていることを特徴とする前記アタッチメント。
【請求項２】
前記第１環状部の前記周壁部分には、前記内面と外面との間を貫通して前記第１環状部の上下方向へ延びるスリットが前記第１環状部の周り方向に間欠的に形成されている請求項１記載のアタッチメント。
【請求項３】
前記支持部は、前記第１環状部の周り方向において間欠的に形成されており、前記第１環状部から上方へ延びる複数の針状突起部である請求項１または２記載のアタッチメント。
【発明の詳細な説明】
【技術分野】
【０００１】
この発明は、ゴルフティーに取り付けてゴルフボールを支持するために使用するアタッチメントに関する。
【背景技術】
【０００２】
従来、ゴルフボールを打つときに使用する木製やプラスチック製のティーであって、ほぼ逆円錐形を成す頂部と、その頂部の下端部から下方へ延びる脚部とを有し、頂部にゴルフボールを載せ、脚部を地面に突き刺して使用するものはよく知られている。また、特開平４−１８９３７４公報（特許文献１）に記載の発明に係るゴルフティーでは、地面に突き刺す支柱部の上部に台座部材が嵌め込まれ、その台座部材の周囲にはスプリング作用がある複数の支持アームが配列されている。特許文献１によれば、このゴルフティーは、ゴルフボールに対して支持アームの上端部のみが接触していて、その接触面積が僅かであるから、ゴルフボールにインパクトを与える瞬間のゴルフティーによるゴルフボールへの接触抵抗が小さく、ゴルフボールの飛距離が大きくなる。
【特許文献１】特開平４−１８９３７４公報
【発明の開示】
【発明が解決しようとする課題】
【０００３】
特許文献１に係るゴルフティーでは、支柱部材にその周方向へ延びる溝が形成され、台座部材の内周面に周方向へ延びるように形成されている突条がその溝に強制的に嵌められることで、支柱部材と台座部材とが一体化する。かように支柱部材と組み合わせられる台座部材は、それに形成された突条の嵌合相手となる溝を持たない市販のゴルフティーには使用することができない。
【０００４】
この発明は、市販のゴルフティーに取り付け可能であって、ゴルフボールをゴルフティーよりも上方で支持することが可能であるアタッチメントの提供、およびそのゴルフティーによるよりも小さな接触面積でゴルフボールを支持することが可能なアタッチメントの提供を課題にしている。
【課題を解決するための手段および発明の効果】
【０００５】
前記課題を解決するために、この発明が対象とするのは、ほぼ逆円錐形を成して頂面が円形を呈する頂部と、前記頂部の下端部分から下方へ延びて前記頂面の径よりも小さい径を有する脚部とからなるゴルフティーの前記頂部に取り付けられて前記頂面よりも上方でゴルフボールを支持することが可能なアタッチメントである。
【０００６】
かかるアタッチメントにおいて、この発明が特徴とするところは、次のとおりである。前記アタッチメントが、前記逆円錐形を成す頂部の周面を囲むように形成されているほぼ逆円錐形の第１環状部と、前記第１環状部から下方へ延びて前記脚部の一部分を囲むように形成されているほぼ円筒形の第２環状部と、前記第１環状部から上方へ延びてその延びた上端部分に前記ゴルフボールを載置できるように形成されている弾性変形可能な支持部とからなる。前記第１環状部は、前記頂部の周面と向かい合う内面と前記内面の反対側である外面とを有する周壁部分に、前記第１環状部の上方部分から下方部分へ向かって延びて前記内面から外面へ向かう方向へ弾性変形可能な複数の舌状部を有する。前記舌状部は、前記第１環状部の周り方向において間欠的に形成されていて、前記舌状部の内面には、前記ゴルフティーにおける前記頂面の周縁部分に前記頂面の上方から当接可能であり、かつ、前記舌状部が前記内面から外面へ向かう方向へ弾性変形すると前記周縁部分の外側へ移動可能な前記第１環状部内側方向への突起部が形成されている。
【０００７】
かような発明に係るアタッチメントは、ゴルフティーの脚部をアタッチメントの第１環状部から第２環状部へと挿入すると、ゴルフティーの頂部が第１環状部に形成されている舌状部の突起部に当り、舌状部を第１環状部の外側へ弾性変形させながら第１環状部の内側に納まる。次いで、舌状部が元の位置にまで弾性的に復帰するとともに、突起部がゴルフティーにおける頂部の周縁部分に上方から当接可能な状態になる。かかる状態のアタッチメントは、第１環状部から上方へ延びる支持部によってゴルフボールをゴルフティーの頂部よりも高い位置で支えることができ、ゴルフティーは、アタッチメントに対して挿入方向と反対の方向へ動こうとすると、舌状部の突起部が頂部に当るので、アタッチメントから抜けることがない。
【０００８】
この発明の好ましい実施態様の一つにおいて、前記第１環状部の前記周壁部分には、前記内面と外面との間を貫通して前記第１環状部の上下方向へ延びるスリットが前記第１環状部の周り方向に間欠的に形成されている。
【０００９】
かような発明に係るアタッチメントでは、ゴルフティーの頂部の径が第１環状部の内径に比べて多少大きくても、ゴルフティーを挿入するときに第１環状部は容易に変形してゴルフティーの頂部を受け容れることができる。
【００１０】
この発明の好ましい実施態様の他の一つにおいては、前記支持部は、前記第１環状部の周り方向において間欠的に形成されており、前記第１環状部から上方へ延びる複数の針状突起部である。
【００１１】
かような発明に係るアタッチメントでは、ゴルフボールに対する支持部が複数の針状突起部であることによって、ゴルフボールをピンポイントで支えて、支持部とゴルフボールとの接触面積が小さくなる。
【発明を実施するための最良の形態】
【００１２】
添付の図面を参照してこの発明に係るゴルフティーのアタッチメントの詳細を説明すると、以下のとおりである。
【００１３】
図１，２，３は、ゴルフティー１に取り付けられているアタッチメント２の側面図と、その側面図におけるＩＩ−ＩＩ線矢視図と、その側面図におけるＩＩＩ−ＩＩＩ線矢視図とである。図１には、アタッチメント２の上に載せられたゴルフボール３と、ゴルフティー１が突き刺される地面４とが仮想線で示されている。
【００１４】
ゴルフティー１は、一般に市販されている木製またはプラスチック製のもので、ほぼ逆円錐形を成す頂部６と、頂部６の下端部分から下方へ延びる円柱状の脚部７とを有し、頂部６の頂面８は円形を呈している。脚部７は、その径が頂部６における頂面８の径よりも小さく、下端部分は地面４に突き刺し易いようにとがっている。
【００１５】
アタッチメント２は、ゴルフティー１の頂部６の周面６ａを囲むように形成されていてほぼ逆円錐形を成す第１環状部１１と、第１環状部１１の下端部分から下方へ延びるように形成されていて円筒形を呈する第２環状部１２と、第１環状部１１の上端部分から上方へ延びるように形成されている支持部１３とを有する。第１環状部１１では、ゴルフティー１の頂部６と向かい合う内面１６と、その反対側である外面１７とを有する周壁部分１８に舌状部２１とスリット２２とが形成されている。舌状部２１は、周壁部分１８に９０°ずつの間隔で４ケ所に形成され、周壁部分１８の上部に位置する基端部分２３から垂下するように延びており、第１環状部１１の内側へ向かっての突起部２４を有する。周壁部分１８は、舌状部２１の周囲が切除されてなる透孔２６を有する。かような第１環状部１１は、その内側にゴルフティー１の頂部６が納まるようにすり鉢状に形成されていて、好ましい第１環状部１１では、周壁部分１８の内面１６のうちですり鉢状に傾斜している部分にゴルフティー１の頂部６が当接可能である。舌状部２１の突起部２４は、第１環状部１１に納まったゴルフティー１における頂面８の周縁部分２５の直上に位置するように形成されている。かような突起部２４の上面２８は、第１環状部１１の内側に向かっての下り勾配を有し、下面２９は、ほぼ水平を成している。スリット２２は、舌状部２１と２１との間に形成され、上下方向に延びている。
【００１６】
第２環状部１２は、その内径がゴルフティー１の脚部７よりも僅かに大きく作られている。
【００１７】
支持部１３では、第１環状部１１の上端部分に４５°ずつの間隔で作られた８本の針状突起部３１が上方に向かって放射状に延びていて、突起部３１の先端によってピンポイントでゴルフボール３を支えることができる。
【００１８】
かように形成されているアタッチメント２は、図１に仮想線で示されているゴルフティー１の脚部７を図の上方から第２環状部１２に挿入する。ゴルフティー１の頂部６は、それが第１環状部１１へ進入するときに、頂部６の周縁部分２５が第１環状部１１における舌状部２１を突起部２４の上面２８において押圧し、突起部２４が周縁部分２５の外側へ移動するように舌状部２１を図２に仮想線で示される状態にまで弾性変形させて第１環状部１１に納まる。頂部６が図２の状態に収まると、舌状部２１が実線で示される位置にまで弾性的に復帰して、突起部２４が周縁部分２５の直上に来る。かようにして組み合わせられたゴルフティー１とアタッチメント２とでは、ゴルフティー１の頂部６に対して第１環状部１１の周壁部分１８が下方から当接する一方、第１環状部１１の突起部２４が上方から当接可能であるから、これら両者１，２は簡単に外れることがない。アタッチメント２はまた、ゴルフティー１の頂部６の全周と、脚部７の一部分の全周とを覆っているものでもあるから、ゴルフボールを打つときのゴルフクラブによる強いインパクトを受けても頂部６から簡単に外れることはなく、針状突起部３１のみが弾性変形する。
【００１９】
かかるアタッチメント２は、その全体のうちで少なくとも針状突起部１３と舌状部２１とが弾性変形し得るように形成されるものであるが、好ましくはその全体が弾性変形し得るようなゴムやプラスチック等の材料で形成される。アタッチメント２の周壁部分１８に形成されたスリット２２は、その周壁部分１８の弾性的な変形を容易にするように作用し、ゴルフティー１の頂部６を第１環状部１１に納める作業を容易にする。但し、この発明は、第１環状部１１にスリット２２が形成されていないアタッチメントでも実施可能であり、また、図示例と異なる数の舌状部２１や針状突起部３１を有するアタッチメントでも実施可能である。ゴルフボールをピンポイントで支える必要がないときには、支持部１３を環状のものに代えることも可能である。
【産業上の利用可能性】
【００２０】
この発明によれば、市販のゴルフティーに取り付けて使用することが可能なアタッチメントの製造が可能になる。
【図面の簡単な説明】
【００２１】
【図１】使用状態にあるアタッチメントの側面図。
【図２】図１のＩＩ−ＩＩ線矢視図。
【図３】図１のＩＩＩ−ＩＩＩ線矢視図。
【符号の説明】
【００２２】
１    ゴルフティー
２    アタッチメント
６    頂部
６ａ    周面
７    脚部
８    頂面
１１    第１環状部
１２    第２環状部
１３    支持部
２１    舌状部
２４    突起部
【図１】
2005237575.tif 000003
【図２】
2005237575.tif 000004
【図３】
2005237575.tif 000005
【手続補正書】
【提出日】平成17年1月11日(2005.1.11)
【手続補正１】
【補正対象書類名】特許請求の範囲
【補正対象項目名】全文
【補正方法】変更
【補正の内容】
【特許請求の範囲】
【請求項１】
ほぼ逆円錐形を成して頂面が円形を呈する頂部と、前記頂部の下端部分から下方へ延びて前記頂面の径よりも小さい径を有する脚部とからなるゴルフティーの前記頂部に取り付けられて前記頂面よりも上方でゴルフボールを支持することが可能なアタッチメントであって、
前記アタッチメントが、前記逆円錐形を成す頂部の周面を囲むように形成されているほぼ逆截頭円錐形の第１環状部と、前記第１環状部から下方へ延びて前記脚部の一部分を囲むように形成されているほぼ円筒形の第２環状部と、前記第１環状部から上方へ延びてその延びた上端部分に前記ゴルフボールを載置できるように形成されている弾性変形可能な支持部とを含み、
前記第１環状部は、前記頂部の周面と向かい合う内面と前記内面の反対側である外面とを有する周壁部分に、前記第１環状部の上方部分から下方部分へ向かって延びて前記内面から外面へ向かう方向へ弾性変形可能な複数の舌状部を有し、前記舌状部が前記第１環状部の周り方向において間欠的に形成されていて、前記舌状部の内面には、前記ゴルフティーにおける前記頂面の周縁部分に前記頂面の上方から当接可能であり、かつ、前記舌状部が前記内面から外面へ向かう方向へ弾性変形すると前記周縁部分の外側へ移動可能な前記第１環状部内側方向への突起部が形成されていることを特徴とする前記アタッチメント。
【請求項２】
前記第１環状部の前記周壁部分には、前記内面と外面との間を貫通して前記第１環状部の上下方向へ延びるスリットが前記第１環状部の周り方向に間欠的に形成されている請求項１記載のアタッチメント。
【請求項３】
前記支持部は、前記第１環状部の周り方向において間欠的に形成されており、前記第１環状部から上方へ延びる複数の針状突起部である請求項１または２記載のアタッチメント。
【手続補正２】
【補正対象書類名】明細書
【補正対象項目名】全文
【補正方法】変更
【補正の内容】
【発明の詳細な説明】
【技術分野】
【０００１】
この発明は、ゴルフティーに取り付けてゴルフボールを支持するために使用するアタッチメントに関する。
【背景技術】
【０００２】
従来、ゴルフボールを打つときに使用する木製やプラスチック製のティーであって、ほぼ逆円錐形を成す頂部と、その頂部の下端部から下方へ延びる脚部とを有し、頂部にゴルフボールを載せ、脚部を地面に突き刺して使用するものはよく知られている。また、特開平４−１８９３７４公報（特許文献１）に記載の発明に係るゴルフティーでは、地面に突き刺す支柱部の上部に台座部材が嵌め込まれ、その台座部材の周囲にはスプリング作用がある複数の支持アームが配列されている。特許文献１によれば、このゴルフティーは、ゴルフボールに対して支持アームの上端部のみが接触していて、その接触面積が僅かであるから、ゴルフボールにインパクトを与える瞬間のゴルフティーによるゴルフボールへの接触抵抗が小さく、ゴルフボールの飛距離が大きくなる。
【特許文献１】特開平４−１８９３７４公報
【発明の開示】
【発明が解決しようとする課題】
【０００３】
特許文献１に係るゴルフティーでは、支柱部材にその周方向へ延びる溝が形成され、台座部材の内周面に周方向へ延びるように形成されている突条がその溝に強制的に嵌められることで、支柱部材と台座部材とが一体化する。かように支柱部材と組み合わせられる台座部材は、それに形成された突条を嵌合すべき溝を持たない市販のゴルフティーには使用することができない。
【０００４】
この発明は、市販のゴルフティーに取り付け可能であって、ゴルフボールをゴルフティーよりも上方で支持することが可能であるアタッチメントの提供、およびそのゴルフティーによるよりも小さな接触面積でゴルフボールを支持することが可能なアタッチメントの提供を課題にしている。
【課題を解決するための手段および発明の効果】
【０００５】
前記課題を解決するために、この発明が対象とするのは、ほぼ逆円錐形を成して頂面が円形を呈する頂部と、前記頂部の下端部分から下方へ延びて前記頂面の径よりも小さい径を有する脚部とからなるゴルフティーの前記頂部に取り付けられて前記頂面よりも上方でゴルフボールを支持することが可能なアタッチメントである。
【０００６】
かかるアタッチメントにおいて、この発明が特徴とするところは、次のとおりである。前記アタッチメントが、前記逆円錐形を成す頂部の周面を囲むように形成されているほぼ逆截頭円錐形の第１環状部と、前記第１環状部から下方へ延びて前記脚部の一部分を囲むように形成されているほぼ円筒形の第２環状部と、前記第１環状部から上方へ延びてその延びた上端部分に前記ゴルフボールを載置できるように形成されている弾性変形可能な支持部とを含む。前記第１環状部は、前記頂部の周面と向かい合う内面と前記内面の反対側である外面とを有する周壁部分に、前記第１環状部の上方部分から下方部分へ向かって延びて前記内面から外面へ向かう方向へ弾性変形可能な複数の舌状部を有する。前記舌状部は、前記第１環状部の周り方向において間欠的に形成されていて、前記舌状部の内面には、前記ゴルフティーにおける前記頂面の周縁部分に前記頂面の上方から当接可能であり、かつ、前記舌状部が前記内面から外面へ向かう方向へ弾性変形すると前記周縁部分の外側へ移動可能な前記第１環状部内側方向への突起部が形成されている。
【０００７】
かような発明に係るアタッチメントは、ゴルフティーの脚部をアタッチメントの第１環状部から第２環状部へと挿入すると、ゴルフティーの頂部が第１環状部に形成されている舌状部の突起部に当り、舌状部を第１環状部の外側へ弾性変形させながら第１環状部の内側に納まる。次いで、舌状部が元の位置にまで弾性的に復帰するとともに、突起部がゴルフティーにおける頂部の周縁部分に上方から当接可能な状態になる。かかる状態のアタッチメントは、第１環状部から上方へ延びる支持部によってゴルフボールをゴルフティーの頂部よりも高い位置で支えることができ、ゴルフティーは、アタッチメントに対して挿入方向と反対の方向へ動こうとすると、舌状部の突起部が頂部に当るので、アタッチメントから抜けることがない。
【０００８】
この発明の好ましい実施態様の一つにおいて、前記第１環状部の前記周壁部分には、前記内面と外面との間を貫通して前記第１環状部の上下方向へ延びるスリットが前記第１環状部の周り方向に間欠的に形成されている。
【０００９】
かような発明に係るアタッチメントでは、ゴルフティーの頂部の径が第１環状部の内径に比べて多少大きくても、ゴルフティーを挿入するときに第１環状部は容易に変形してゴルフティーの頂部を受け容れることができる。
【００１０】
この発明の好ましい実施態様の他の一つにおいては、前記支持部は、前記第１環状部の周り方向において間欠的に形成されており、前記第１環状部から上方へ延びる複数の針状突起部である。
【００１１】
かような発明に係るアタッチメントでは、ゴルフボールに対する支持部が複数の針状突起部であることによって、ゴルフボールをピンポイントで支えて、支持部とゴルフボールとの接触面積が小さくなる。
【発明を実施するための最良の形態】
【００１２】
添付の図面を参照してこの発明に係るゴルフティーのアタッチメントの詳細を説明すると、以下のとおりである。
【００１３】
図１，２，３は、ゴルフティー１に取り付けられているアタッチメント２の側面図と、その側面図におけるＩＩ−ＩＩ線矢視図と、その側面図におけるＩＩＩ−ＩＩＩ線矢視図とである。図１には、アタッチメント２の上に載せられたゴルフボール３と、ゴルフティー１が突き刺される地面４とが仮想線で示されている。
【００１４】
ゴルフティー１は、一般に市販されている木製またはプラスチック製のもので、ほぼ逆円錐形を成す頂部６と、頂部６の下端部分から下方へ延びる円柱状の脚部７とを有し、頂部６の頂面８は円形を有している。脚部７は、その径が頂部６における頂面８の径よりも小さく、下端部分は地面４に突き刺し易いようにとがっている。
【００１５】
アタッチメント２は、ゴルフティー１の頂部６の周面６ａを囲むように形成されていてほぼ逆截頭円錐形を成す第１環状部１１と、第１環状部１１の下端部分から下方へ延びるように形成されていて円筒形を有する第２環状部１２と、第１環状部１１の上端部分から上方へ延びるように形成されている支持部１３とを含む。第１環状部１１では、ゴルフティー１の頂部６と向かい合う内面１６と、その反対側である外面１７とを有する周壁部分１８に舌状部２１とスリット２２とが形成されている。舌状部２１は、周壁部分１８に９０°ずつの間隔で４ケ所に形成され、周壁部分１８の上部に位置する基端部分２３から垂下するように延びており、第１環状部１１の内側へ向かっての突起部２４を有する。周壁部分１８は、舌状部２１の周囲が切除されてなる透孔２６を有する。かような第１環状部１１は、その内側にゴルフティー１の頂部６が納まるように漏斗状またはすり鉢状に形成されていて、好ましい第１環状部１１では、周壁部分１８の内面１６のうちで傾斜している部分にゴルフティー１の頂部６が当接可能である。舌状部２１の突起部２４は、第１環状部１１に納まったゴルフティー１における頂面８の周縁部分２５の直上に位置するように形成されている。かような突起部２４の上面２８は、第１環状部１１の内側に向かっての下り勾配を有し、下面２９は、ほぼ水平を成している。スリット２２は、舌状部２１と２１との間に形成され、上下方向に延びている。
【００１６】
第２環状部１２は、その内径がゴルフティー１の脚部７よりも僅かに大きく作られている。
【００１７】
支持部１３では、第１環状部１１の上端部分に４５°ずつの間隔で作られた８本の針状突起部３１が上方に向かって放射状に延びていて、突起部３１の先端によってピンポイントでゴルフボール３を支えることができる。
【００１８】
かように形成されているアタッチメント２は、図１に仮想線で示されているゴルフティー１の脚部７を図の上方から第２環状部１２に挿入する。ゴルフティー１の頂部６は、それが第１環状部１１へ進入するときに、頂部６の周縁部分２５が第１環状部１１における舌状部２１を突起部２４の上面２８において押圧し、突起部２４が周縁部分２５の外側へ移動するように舌状部２１を図２に仮想線で示される状態にまで弾性変形させて第１環状部１１に納まる。頂部６が図２の状態に収まると、舌状部２１が実線で示される位置にまで弾性的に復帰して、突起部２４が周縁部分２５の直上に位置する。かようにして組み合わせられたゴルフティー１とアタッチメント２とでは、ゴルフティー１の頂部６に対して第１環状部１１の周壁部分１８が下方から当接する一方、第１環状部１１の突起部２４が上方から当接可能であるから、これら両者１，２は簡単に外れることがない。アタッチメント２はまた、ゴルフティー１の頂部６の全周と、脚部７の一部分の全周とを覆っているものでもあるから、ゴルフボールを打つときのゴルフクラブによる強いインパクトを受けても頂部６から簡単に外れることはなく、針状突起部３１のみが弾性変形する。
【００１９】
かかるアタッチメント２は、その全体のうちで少なくとも針状突起部１３と舌状部２１とが弾性変形し得るように形成されるものであるが、好ましくはその全体が弾性変形し得るようなゴムやプラスチック等の材料で形成される。アタッチメント２の周壁部分１８に形成されたスリット２２は、その周壁部分１８の弾性的な変形を容易にするように作用し、ゴルフティー１の頂部６を第１環状部１１に納める操作を容易にする。但し、この発明は、第１環状部１１にスリット２２が形成されていないアタッチメントでも実施可能であり、また、図示例と異なる数の舌状部２１や針状突起部３１を有するアタッチメントでも実施可能である。ゴルフボールをピンポイントで支える必要がないときには、支持部１３を環状のものに替えることも可能である。
【産業上の利用可能性】
【００２０】
この発明によれば、市販のゴルフティーに取り付けて使用することが可能なアタッチメントの製造が可能になる。
【図面の簡単な説明】
【００２１】
【図１】使用状態にあるアタッチメントの側面図。
【図２】図１のＩＩ−ＩＩ線矢視図。
【図３】図１のＩＩＩ−ＩＩＩ線矢視図。
【符号の説明】
【００２２】
１    ゴルフティー
２    アタッチメント
６    頂部
６ａ    周面
７    脚部
８    頂面
１１    第１環状部
１２    第２環状部
１３    支持部
２１    舌状部
２４    突起部